【手続補正書】
【提出日】平成15年8月26日(2003.8.26)
【手続補正１】
【補正対象書類名】明細書
【補正対象項目名】特許請求の範囲
【補正方法】変更
【補正の内容】
【特許請求の範囲】
【請求項１】
アドレス情報と回転制御情報とがあらかじめ記録されている光ディスクに情報を記録する情報記録装置であって、
前記アドレス情報を検出するアドレス情報検出手段と、
検出したアドレス情報と任意に指定するアドレスとの一致を検出する一致検出手段と、
前記回転制御情報を検出する回転制御情報検出手段と、
検出した回転制御情報より記録クロックを生成するクロック生成手段と、
前記一致検出手段で検出された一致点を起点として前記記録クロックを所定数計数した後に信号を出力するタイミング生成手段とを備え、
前記タイミング生成手段の出力で記録データの通過を制御することによって、前記光ディスクに情報の記録の開始および終了を制御することを特徴とする情報記録装置。
【請求項２】
請求項１記載の情報記録装置において、
記録データ変調回路と、
前記変調回路の出力データの通過又は阻止を行うゲート回路とを備え、
前記タイミング生成手段の第１の出力信号により前記変調回路の動作開始又は停止を制御し、前記タイミング生成手段の第２の出力信号により前記ゲート回路のデータ通過又は阻止を行うことを特徴とする情報記録装置。
【請求項３】
アドレス情報と回転制御情報とがあらかじめ記録されている光ディスクに情報を記録する情報記録装置であって、
前記アドレス情報を検出するアドレス情報検出手段と、
検出したアドレス情報と任意に指定するアドレスとの一致を検出する一致検出手段と、
前記回転制御情報を検出する回転制御情報検出手段と、
検出した回転制御情報より記録クロックを生成するクロック生成手段と、
前記一致検出手段で検出された一致点を起点として前記記録クロックを所定数計数した後に信号を出力するタイミング生成手段と、
記録データ変調回路と、
該記録データ変調回路の出力データの通過又は阻止を行うゲート手段とを備え、
前記タイミング生成手段の第１の出力信号により前記変調回路の動作開始又は停止を制御し、前記タイミング生成手段の第２の出力信号により前記ゲート手段のデータ通過又は阻止を行い、前記光ディスクの任意の位置に情報の記録の開始および終了を制御することを特徴とする情報記録装置。
【請求項４】
請求項３記載の情報記録装置において、タイミング生成手段の第２の出力信号は、第１の出力信号の変化位置から記録クロックを所定数計数した後に出力されることを特徴とする情報記録装置。
【請求項５】
アドレス情報と回転制御情報とがあらかじめ記録されている光ディスクに情報を記録する情報記録装置であって、
前記アドレス情報を検出するアドレス情報検出手段と、
前記回転制御情報を検出する回転制御情報検出手段と、
検出した前記回転制御情報より記録クロックを生成するクロック生成手段と、
前記アドレス情報検出手段のアドレス変化点を起点として前記記録クロックをアドレス変化間隔繰り返して計数する計数手段と、
前記計数手段の計数値をデコードし任意に指定する値に到達したときに信号を出力するデコード手段と、記録データ変調回路と、該記録データ変調回路の出力データの通過又は阻止を行うゲート手段と、
外部からの記録停止信号入力時に前記アドレス情報及び前記計数手段の計数値を保持するデータ保持手段とを備え、
前記デコード手段の第１の出力信号により前記記録データ変調回路の動作開始を制御し、前記デコード手段の第１の出力信号と前記記録停止信号とにより前記記録データ変調回路の動作停止を制御し、前記デコード手段の第２の出力信号により前記ゲート手段のデータ通過の制御を行い、前記デコード手段の第２の出力信号と前記記録停止信号とにより前記ゲート手段のデータ阻止の制御を行って、前記光ディスクの任意の位置に情報の記録を行うと共に、前記記録停止信号入力時に情報の記録を終了し、前記データ保持手段に保持しているアドレス及び計数手段の計数値で次の記録開始位置を特定して、記録停止時までに記録された情報と次に記録開始する情報との連続性を保持して記録を行うことを特徴とする情報記録装置。
【請求項６】
請求項１乃至５のいずれかに記載の情報記録装置において、
前記アドレス情報は、ランドプリピット信号として記録されたアドレス情報であり、
前記回転制御信号は、ウォブル信号として記録された回転制御情報であることを特徴とする情報記録装置。
【請求項７】
請求項１乃至５のいずれかに記載の情報記録装置において、
前記光ディスクには記録トラックが螺旋状にグルーブで形成されており、アドレス情報が隣接するグルーブ間のランド部にピットで形成されていることを特徴とする情報記録装置。
【請求項８】
アドレス情報と回転制御情報とがあらかじめ記録されている光ディスクに情報を記録する情報記録装置であって、
前記回転制御信号を検出する回転制御信号検出手段と、
検出した回転制御信号からアドレス情報を復調するアドレス復調手段と、
検出した前記回転制御情報より記録クロックを生成するクロック生成手段と、
復調したアドレス情報と任意に指定されたアドレスとの一致を検出する一致検出手段と、
前記一致検出手段で検出された一致点を起点として前記記録クロックを所定数計数した後に信号を出力するタイミング生成手段と、
記録データ変調回路と、
該記録データ変調回路の出力データの通過又は阻止を行うゲート手段とを備え、
前記タイミング生成手段の第１の出力信号により変調回路の動作開始又は停止を制御し、前記タイミング生成手段の第２の出力信号により前記ゲート手段のデータ通過又は阻止の制御を行い、前記光ディスクの任意の位置に情報の記録を行うことを特徴とする情報記録装置。
【請求項９】
アドレス情報と回転制御情報とがあらかじめ記録されている光ディスクに情報を記録する情報記録装置であって、
前記回転制御信号を検出する回転制御信号検出手段と、
検出した回転制御信号からアドレス情報を復調するアドレス復調手段と、
検出した回転制御情報より記録クロックを生成するクロック生成手段と、
前記アドレス復調手段のアドレス変化点を起点として前記記録クロックをアドレス変化間隔繰り返して計数する計数手段と、
前記計数手段の計数値をデコードし任意に指定する値に到達したときに信号を出力するデコード手段と、
記録データ変調回路と、
該記録データ変調回路の出力データの通過又は阻止を行うゲート手段と、
外部からの記録停止信号入力時に前記アドレス情報及び前記計数手段の計数値を保持するデータ保持手段とを備え、
前記デコード手段の第１の出力信号により記録データ変調回路の動作開始を制御し、前記デコード手段の第１の出力信号と前記記録停止信号とにより記録データ変調回路の動作停止を制御し、前記デコード手段の第２の出力信号により前記ゲート手段のデータ通過の制御を行い、前記デコード手段の第２の出力信号と前記記録停止信号とにより前記ゲート手段のデータ阻止の制御を行って、前記光ディスクの任意の位置に情報の記録を行うと共に、前記記録停止信号入力時に情報の記録を終了し、前記データ保持手段に保持しているアドレス及び計数手段の計数値で次の記録開始位置を特定し、記録停止時までに記録された情報と次に記録開始する情報との連続性を保持して記録を行うことを特徴とする情報記録装置。
【請求項１０】
請求項１乃至９のいずれかに記載の情報記録装置において、
前記回転制御信号は、前記光ディスクの情報記録トラックを蛇行させて形成されることにより記録されていることを特徴とする情報記録装置。
【手続補正２】
【補正対象書類名】明細書
【補正対象項目名】００３９
【補正方法】変更
【補正の内容】
【００３９】
図１２の実施例における記録制御回路１０ｂの構成例を図１３に示す。
図１３は本発明による記録制御回路の第３の実施例を示すブロック図である。図において、ブロックカウンタ１０６は記録クロック２６を計数し、プリピットアドレスが変化するブロック周期で１周するカウンタであり、ブロック内の記録データ位置を記録クロック単位で特定することができる。記録停止信号３３は、第１のラッチ１０９、第２のラッチ１１０ａ、第３のラッチ１１０ｂに供給されるので、記録データ制御信号３１ａ、３１ｂを阻止状態に設定し、変調回路制御信号３２を停止状態に設定すると同時に、その時のプリピットアドレス３０とブロックカウンタ１０６の値を停止状態保持レジスタ１１５に保持する。この回路に拠れば、サーボ回路（図示せず）やシステムコントローラ（図示せず）から記録停止信号３３が出力されたときに、直ちに記録データ制御信号３１ａ、３１ｂを阻止状態にすると同時に、記録を停止したブロックアドレスとそのブロック内の位置を記録クロック単位で記憶し、記録停止要因が無くなり定常の状態に復帰した後に、システムコントローラ（図示せず）がレジスタ１１５を読み取り、その値によって目標アドレスと記録開始でコード値を設定することにより、記録を停止した時点から記録を再開できるので、それまでの記録データを無駄にすることがない。